(57)【要約】      （修正有）【課題】ベッド床を吊り下げているスライド支柱を低くする為に、ベッド床を吊り下げているスライド支柱を下まで下ろし、その分各支柱を低く出来てそれを覆うボードを低くする低床介護ベッドの昇降機構を提供する。【解決手段】低床介護ベッドの昇降機の構造において、Ｌ字型金具９を用いることを主とし、Ｌ字型金具９と固定支柱２の間にベッド床を吊るしているスライド支柱３が自由に上下にスライド出来る隙間を開けて固定支柱２をＬ字型金具９の下面に溶接し、さらにＬ字型金具９の上部にキャスター６を装着できる基台１を溶接し、ベッド床を吊るしたスライド支柱３がキャスター６を装着できる基台１よりもフロア７近くまで下りるようにすることで、ベッド床が低床化でき、基台１の高さの分だけ各スライド支柱３も低くすることができる。【選択図】図１
0003220742.tif 000002
【実用新案登録請求の範囲】
【請求項１】
低床介護ベッドの昇降機の構造において、ボードを低くして閉塞感のないようにする為にＬ字型金具で固定支柱と基台を接続することでスライド支柱を最下部まで下ろせるようにすることで各支柱を低くすることを特徴とする低床介護ベッドの昇降機構。
【考案の詳細な説明】
【技術分野】
【０００１】固定支柱とスライド支柱の二重支柱を基台の両端に配し、Ｌ字型金具で基台に接続し、基台の中央に設置した直立アクチュエーターで昇降する昇降機能を備えた構造を頭側と足側に配したキャスター付き低床介護用ベッドに関するものである。
【技術背景】
【０００２】従来、介護用ベッドは昇降機構をベッド床下に設置しているので、ベッド床の低床化には限度がある。
【０００３】従来の介護用ベッドはベッド床が高く、転落による事故が多発しているので、介護の現場では転落しても怪我をしない低床ベッドで、介助が必要な時に腰に負担のかからない高さまで上げる機能を備えたベッドが求められている。
【０００４】しかし二重支柱の構造だと腰に負担のかからない高さまでベッド床を上るためには支柱の高さが高くなりそれを覆うボードが高くなり閉塞感を与える。
【先行技術】
【０００５】従来市販されている二重支柱を備えた介護用低床ベッドは、キャスターを取り付けている基台を固定支柱に直接溶接しているため、スライド支柱は基台に溶接された部分より下に下がらない。
【０００６】ベッド床が介助しやすい高さの最高位になった時に固定支柱とスライド支柱がある程度重らないと安定が保てないので、スライド支柱の長さは固定支柱に溶接された基台の高さだけ高くなる。
【考案の概要】
【考案が解決しようとする課題】
【０００７】しかしながら従来品が示すように固定支柱に直接基台を溶接するとその分スライド支柱が高くなりそれを覆うボードも高くなるため閉塞感を与える。【０００８】介護用ベッドは介助に必要な高さと腰痛防止も兼ね備えているので、それに必要な高さまでベッド床をあげるのが理想である。【０００９】それと同時にベッドに休んでいる問も前面のボードが高くなると閉塞感を与えるので、出来るだけボードを低くするのが理想である。
【課題を解決するための手段】
【００１０】そこで本考案は、以上の課題を解決すべく、固定支柱の直径よりも十数ミリメートルＬ字型の下方を長くした厚手のＬ字型金具の下面にＬ字型の縦の部分と固定支柱の間に隙間が出来るように固定支柱を溶接し、Ｌ字型金具の上方に基台を溶接することで固定支柱とＬ字型金具との間に隙間が出来てスライド支柱がＬ字型金具の下まで下りるようにして、それに吊り下げられている床がフロアまで降りるようにすることでスライド支柱を短くすることで閉塞感を緩和する昇降機を提供することを目的とした。
【本考案の効果】
【００１１】本考案に係るＬ字型金具を使用し、更に固定支柱と基台をＬ字型金具で接続することで固定支柱と基台の間に隙間が出来て、ベッドを吊っているスライド支柱がフロアの近くまで下りるようになる。
【００１２】従ってスライド支柱が基台より下まで下りることでスライド支柱の高さも低く出来、それを覆うボードも低くすることで、ボードによる閉塞感を緩和することが出来る。
【図面の簡単な説明】
【００１３】
【図１】  本考案に係る昇降機の最下降時の概略断面図である。
【図２】  本考案に係る昇降機の最上昇時の概略断面図である。
【図３】  市販参考品の昇降機の最下降時の概略断面図である。
【図４】  市販参考品の昇降機の最上昇時の概略断面図である。
【符号の説明】
【００１４】１，１’は基台
２、２’は固定支柱
３、３’はスライド支柱
４、４’上部接続金具
５、５’はアクチュエーター
６、６’はキャスター
７、７’はフロア
８、８’は床吊り金具
９      はＬ字型金具【００１５】（ａ），（ａ’）はスライド支柱が重なる下限の高さ
（ｂ），（ｂ’）は固定支柱及びスライド支柱の重なる部分の上限の高さ
（ｃ），（ｃ’）は固定支柱とスライド支柱の重なる部分
（ｄ），（ｄ’）は昇降機の最伸長時の高さ
（ｅ），（ｅ’）はフロアからスライド支柱の下面の高さ【００１６】ａ＝ａ’
ｂ＝ａ＋ｃ
ｃ＝ｃ’
ｄ＜ｄ’
ｅ＜ｅ′
【本考案を実施する為の形態】
【００１７】以下本考案の実施形態である低床介護ベッドの昇降機の構造をその実施の最良の形態について図面に示す実施例に基づいて具体的に説明する。本図面は左右対称の為一方を省略する。本考案に係る昇降機を示す図１は昇降機の最下降時の状態の断面図であり、図２は昇降機の最上昇時の断面図である。
【００１８】図３は従来の二段支柱を備えた低床介護ベッドの昇降機構を示す断面図であり、図３は昇降機の最下降時の状態の断面図であり、図４は昇降機の最上昇時の断面図である。
【００１９】本考案の優位性を各図面で比較しながら説明をすると、図１図２ではアアルファベッド記号で表示している各辺は同じであるが、図２に示すように昇降機が最高位置、つまりベッド床８を吊り下げているベッド床が最高位に上昇した時、スライド支柱３がふらつかないように固定支柱２に（ｃ）の長さだけ重なるようになるので、各支柱の長さ（ｂ）は（ａ）に（ｃ）を加えたものになる。（ｅ）の高さはＬ字型金具の底面の厚さは十数ｍｍで更にベッドを十数ｍｍ浮かすようにするのでその和である
【００２０】本考案の優位性を示すために、図３及び図４について説明すると、参考の一般市販の二段支柱を備えた低床介護ベッドの断面図であるが、本考案との支柱の高さの違いを説明するのみにとどめると、ベッド床８の最高位（ａ’）は本考案も同じであるので、ベッド床８を最高位に上げるのに必要なスライド支柱３及び３’の長さは同じであるが、基台１が固定支柱２の中間に溶接されているために（ｅ’）の高さだけスライド支柱３’が基台１まで降りるように割を入れている。本考案の上記の説明で記したように（ｂ’）の高さを決めるのに（ａ’）に（ｃ’）を加え更に（ｅ’）を加えたものになる。この（ｅ’）は基台１’の厚さ２０数ｍｍの厚さに更にキャスター６’の高さを加えたものである。通常（ｅ‘）は基台の厚さ２０数ｍｍと移動の為にベッド床を十数ｍｍ浮かすようにし、更にキャスターの高さを加えたものである。キャスター６，６’の高さは本考案も同じである。
【００２１】本考案と参考市販品と比較した時に（ｄ）と（ｄ’）の間に明らかに高さの差が認められ（ｂ）は（ｄ’）よりも（ｅ）と（ｅ‘）の十数センチの差すなわち（ｅ’）から基台とＬ字型金具の厚さの差を差し引いた高さだけ本考案より各支柱２’３’が高くなるので、それだけそれを覆うボーも本考案は低くなって閉塞感を緩和することができる。
【図１】
0003220742.tif 000003
【図２】
0003220742.tif 000004
【図３】
0003220742.tif 000005
【図４】
0003220742.tif 000006
【手続補正書】
【提出日】平成31年1月15日(2019.1.15)
【手続補正１】
【補正対象書類名】実用新案登録請求の範囲
【補正対象項目名】全文
【補正方法】変更
【補正の内容】
【実用新案登録請求の範囲】
【請求項１】
低床介護ベッドの昇降機の構造において、Ｌ字型金具を用いることを主とし、Ｌ字型金具と固定支柱の間にベッド床を吊るしているスライド支柱が自由に上下にスライド出来る隙間を開けて固定支柱をＬ字型金具の下面に溶接し、さらにＬ字型金具の上部にキャスターを装着できる基台を溶接し、ベッド床を吊るしたスライド支柱がキャスターを装着できる基台よりもフロア近くまで下りるようにすることで、ベッド床が低床化でき、基台の高さの分だけ各支柱も低くすることができるのを特徴とする低床介護ベッドの昇降機講